(57)【要約】【課題】遊技機のメンテナンス時の作業性を向上させる。【解決手段】筐体と、遊技に関する処理を実行する制御部と、演出に関する処理を実行する副制御部と、前記制御部及び前記副制御部に電源を供給する電源部とを備える遊技機において、前記制御部、前記副制御部及び前記電源部を覆う開閉可能なケースＣの内側に、基板４０、４０ｂに電源ＰＳを接続する配線Ｗ−Ｐを設ける。前記電源部から前記制御部及び前記副制御部への電源が、前記ケースの内側において配線Ｗ−Ｐを経由して供給される。【選択図】        図８
2010099155.tif 000002
【特許請求の範囲】
【請求項１】
筐体と、遊技に関する処理を実行する制御部と、演出に関する処理を実行する副制御部と、前記制御部及び前記副制御部に電源を供給する電源部とを備える遊技機において、
前記制御部及び前記副制御部は前記筐体の裏面に設けられ、
さらに、前記制御部及び前記副制御部を覆う開閉可能なケースと、
前記ケースの内側に設けられた第１送信部及び第１受信部と、
前記ケースの内側に設けられて前記第１送信部と前記第１受信部を接続する配線と、
前記制御部に設けられた第２送信部と、
前記副制御部に設けられた第２受信部と、を備え、
前記ケースを閉じた状態で前記第２送信部と前記第１受信部、及び、前記第１送信部と前記第２受信部が、それぞれ通信可能に対向するように配置され、
前記制御部から前記副制御部への信号が、前記ケースの内側において、前記第２送信部、前記第１受信部、前記配線、前記第１送信部、及び、前記第２受信部を経由して伝送されることを特徴とする遊技機。
【請求項２】
前記第２送信部は発光素子を含み、電気信号を光信号に変換して伝送するものであり、
前記第２受信部は受光素子を含み、光信号を電気信号に変換するものであり、
前記配線は光ファイバーであり、前記光ファイバの両端の端面は、それぞれ、前記第１受信部及び前記第１送信として機能し、
前記ケースを閉じた状態で、前記光ファイバの両端の端面は、それぞれ、前記第２送信部と前記第２受信部に対向するように配置されることを特徴とする請求項１記載の遊技機。
【請求項３】
前記電源部は、筐体の裏面に設けられ、前記ケースは、前記制御部及び前記副制御部とともに前記電源部を覆い、
前記ケースの内側に設けられた複数の第１送電部及びひとつ以上の第１受電部と、
前記ケースの内側に設けられて前記第１受電部を前記複数の第１送電部に接続する配線と、
前記電源部に設けられた第２送電部と、
前記制御部及び前記副制御部にそれぞれ設けられた第２受電部と、を備え、
前記ケースを閉じた状態で前記第２送電部と前記第１受電部、及び、前記複数の第１送電部と前記制御部及び前記副制御部にそれぞれ設けられた第２受電部が、それぞれ互いに対向するように配置され、
前記電源部から前記制御部及び前記副制御部への電源が、前記ケースの内側において、前記第２送電部、前記第１受電部、前記配線、前記複数の第１送電部、及び、前記制御部と前記副制御部にそれぞれ設けられた第２受電部を経由して供給されることを特徴とする請求項１又は請求項２記載の遊技機。
【発明の詳細な説明】
【技術分野】
【０００１】
この発明は、パチンコ機やスロットマシンなどの遊技機に関し、特に、信号の伝送や電源の供給をケースの内側に設けられた配線を通じて行うものに関する。
【背景技術】
【０００２】
パチンコ店などの遊技場に設置して使用されるパチンコ機やスロットマシン等の遊技機は、パチンコ球やメダル等の遊技媒体に一定の価値が与えられて、ゲームを行って獲得した遊技媒体を種々の景品に交換することができる。遊技機には、その筐体内部に、遊技媒体の供給に基づいて作動させるランプ装置や音声発生装置などの様々な各種駆動装置及びこれら駆動装置を制御させるために対応させた制御回路装置を備えており、遊技者が遊技を行う際にこれらを適宜作動させることによって遊技を興趣に溢れたものとしている。また、近年では、所定の識別情報（図柄）を変動表示し得るリール表示装置または液晶画像表示装置等の図柄可変表示装置を内蔵し、所定条件を満たしたときに識別情報を変動させた後に停止表示させるように図柄可変表示装置を作動させるものが主流となっている。これらの装置は制御回路装置によって制御されている。
【０００３】
最近の遊技機の内部に配設されている制御回路装置は、基板上に設けられたＣＰＵ（ｃｅｎｔｒａｌ ｐｒｏｃｅｓｓｉｎｇ ｕｎｉｔ）が、制御プログラムに従って電子制御を行うものが一般的である。制御プログラムは、マスクＲＯＭ（ｒｅａｄ ｏｎｌｙ ｍｅｍｏｒｙ）のような基板上に装着されたＩＣチップにデータとして記憶されており、ＣＰＵは、遊技状態に応じてＩＣチップから制御プログラムのデータを逐次読み出して実行することによって制御を行っている。
【０００４】
【特許文献１】特開２００７−１６７１４８号公報
【発明の開示】
【発明が解決しようとする課題】
【０００５】
前記制御回路装置には、信号の入出力及び電源の供給のためのハーネス（配線）が設けられるとともに、所定のケースに収納されて遊技機に取り付けられていた。そのため、メンテナンスの際に前記制御回路装置を取り外すためには、前記ハーネスを外す前に、前記ケースを外すという２つの作業が必要であった。
【０００６】
この発明は、前記制御回路装置を取り外す際の作業を軽減するためになされたもので、前記ハーネスを外すことと前記ケースを外すことを同時に行うことのできる遊技機を提供することを目的とする。
【課題を解決するための手段】
【０００７】
この発明は、筐体と、遊技に関する処理を実行する制御部と、演出に関する処理を実行する副制御部と、前記制御部及び前記副制御部に電源を供給する電源部とを備える遊技機において、
前記制御部及び前記副制御部は前記筐体の裏面に設けられ、
さらに、前記制御部及び前記副制御部を覆う開閉可能なケースと、
前記ケースの内側に設けられた第１送信部及び第１受信部と、
前記ケースの内側に設けられて前記第１送信部と前記第１受信部を接続する配線と、
前記制御部に設けられた第２送信部と、
前記副制御部に設けられた第２受信部と、を備え、
前記ケースを閉じた状態で前記第２送信部と前記第１受信部、及び、前記第１送信部と前記第２受信部が、それぞれ通信可能に対向するように配置され、
前記制御部から前記副制御部への信号が、前記ケースの内側において、前記第２送信部、前記第１受信部、前記配線、前記第１送信部、及び、前記第２受信部を経由して伝送されるものである。
【０００８】
前記第２送信部は発光素子を含み、電気信号を光信号に変換して伝送するものであり、
前記第２受信部は受光素子を含み、光信号を電気信号に変換するものであり、
前記配線は光ファイバーであり、前記光ファイバの両端の端面は、それぞれ、前記第１受信部及び前記第１送信として機能し、
前記ケースを閉じた状態で、前記光ファイバの両端の端面は、それぞれ、前記第２送信部と前記第２受信部に対向するように配置されるようにしてもよい。
【０００９】
前記電源部は、筐体の裏面に設けられ、前記ケースは、前記制御部及び前記副制御部とともに前記電源部を覆い、
前記ケースの内側に設けられた複数の第１送電部及びひとつ以上の第１受電部と、
前記ケースの内側に設けられて前記第１受電部を前記複数の第１送電部に接続する配線と、
前記電源部に設けられた第２送電部と、
前記制御部及び前記副制御部にそれぞれ設けられた第２受電部と、を備え、
前記ケースを閉じた状態で前記第２送電部と前記第１受電部、及び、前記複数の第１送電部と前記制御部及び前記副制御部にそれぞれ設けられた第２受電部が、それぞれ互いに対向するように配置され、
前記電源部から前記制御部及び前記副制御部への電源が、前記ケースの内側において、前記第２送電部、前記第１受電部、前記配線、前記複数の第１送電部、及び、前記制御部と前記副制御部にそれぞれ設けられた第２受電部を経由して供給されるようにしてもよい。
【発明の効果】
【００１０】
この発明によれば、ケースの内側に配線を設けたので、前記ケースを外すと同時に当該配線を外すことができ、したがって、メンテナンス時の作業性が向上する。
【発明を実施するための最良の形態】
【００１１】
弾球遊技機（パチンコ機）の構造概略について図１及び図２を参照して説明を加える。
【００１２】
まず、図１を参照して本発明の実施の形態に係る遊技機の外部的構造につき説明する。
外枠５０は、遊技機設置営業店に設けられた設置場所（島設備など）へと固定させるための縦長方形状からなる木製の枠部材である。
本体部材５１は、外枠５０の内部に備えられ、ヒンジ部５１ａを介して外枠に回動自在に装着された縦長方形状の遊技機基軸体となる部材である。この本体部材５１は、枠状に形成されその内側に空間部を有している。
開口枠扉５２は、遊技機の前面側となる前記本体部材５１の前面に、ロック機能付きで且つ開閉自在となるように装着され、枠状に構成されることでその内側を開口部とした扉部材である。
なお、開口枠扉５２の開口部にガラス製又は樹脂製からなる透明板部材が設けられ、開口部近傍に電飾５２ａ、スピーカ５２ｂ、などが取り付けられている。
後述する遊技盤（図１では示していない）は、本体部材５１の空間部に臨むように、本体部材５１に所定の固定部材を用いて着脱自在に装着されている。遊技盤の本体部材５１への装着後は、その遊技領域を前記開口部より観察することができる。
【００１３】
球受皿付き扉５３は、遊技機前面において本体部材５１の下側に対し、ロック機能付きで且つ開閉自在となるように装着され、遊技球を貯留する球受皿を少なくとも備えた扉部材である。なお、本実施形態における球受皿付き扉には、以下の部材が取り付けられている。
（1）複数の遊技球が貯留可能で且つ発射駆動装置４８へと遊技球を案内させる通路が設けられた球受皿。
（2）該貯留され発射駆動装置４８へと案内された遊技球を前記遊技盤１０の盤面１１に設けられた遊技領域へと打出す操作を行う回動式操作ハンドル４８ｂ。なお、一般的には、「盤面」は遊技領域の形成される遊技盤１０の表面を意味するが、本発明の実施の形態では、遊技盤１０を構成する部材（例えば、アクリル等でできた透明な板であって、その中に後述の電飾基板１０２を含むもの）そのものも意味する。以下の説明において、両者を特に区別する必要のないときは「盤面」と記し、遊技盤１０の表面ではなく、上記部材全体を指すときは「盤面体」と記すことにする。
（3）プリペイドカード読込み処理関係及び借り受ける遊技球の貸出し処理関係の指示をするボタンを備えた球貸し関係の操作部。
（4）球受皿に貯留させた遊技球を遊技球収集容器（ドル箱［登録商標］）へと排出解除するための球受皿用の貯留球排出操作ボタン。
【００１４】
次に、図２を参照して本発明の実施の形態に係る遊技機の内部的構成を説明する。
４０は、前述したように、本体部材５１若しくは遊技盤１１又はこれらに備え付けられる支持部材などを介して設けられ、電気的な遊技制御の処理を行い主要な処理情報を生成する制御部である。
４０ｂは、前記本体部材５１若しくは遊技盤１１又はこれらに備え付けられる支持部材などを介して設けられ、前記制御部４０にて生成した処理情報を得ることにより所定の出力態様処理をさせる制御を行う副制御部である。
４２は、賞球の払い出し制御を行う払出制御部である。
４３は、遊技球を払い出す遊技球払出装置である。
４４は、図示しないランプや電飾５２ａを制御するランプ制御部である（後の説明の役物装置制御部５５）。
４６は、スピーカ５２ｂを制御駆動して音響を発生させる音響制御部である。
４９は発射駆動装置４８を制御する制御装置であって、回動式操作ハンドル４８ｂを介して遊技球を盤面（遊技盤の表面）に設けられた遊技領域へと打出し制御を行うための発射制御装置である。
【００１５】
図３は遊技機の遊技盤の正面図である。
図３において、１１は遊技盤１０の盤面（盤面体）である。
盤面１１は、誘導レール１２と、誘導レール１２で区画された略円形の遊技領域を落下した遊技球を外部へ導く排出口（アウト口）１３と、遊技領域を移動する遊技球の方向を変化せしめる釘１４や風車１４ａなどの障害物を複数個備える矩形の盤面である。
【００１６】
前述した盤面１１の遊技領域は、誘導レール１２（遊技球を滑走させる滑走部と遊技球を規制する規制部を含む）により略円形状となるように区画形成され、打出された遊技球の移動範囲を規制する領域である。前記滑走部に規制部が続くように設けられている。前記滑走部は全体として螺旋をなして盤面１１に配設されている。
【００１７】
前記排出口（アウト口）１３は、遊技領域に投入された遊技球が集束する位置に設けられた回収開口部である。
【００１８】
障害物１４としての遊技釘は、遊技球と接触させることにより移動方向を不規則にし、又は移動方向を規制するために、盤面１１の適宜な位置に打込まれる複数の棒状部材である。
【００１９】
３０ａは、遊技領域の中央やや上側に設けられ、演出用表示ランプやＬＣＤ（液晶表示装置）などの可変表示部をひとつ又は複数有する可変表示装置（センター役物）である。
３０ｂは、入賞部としてスルーチャッカー（入賞チャッカー）である。
３０ｃは、普通入賞口を有する普通入賞装置である。
３０ｄは、始動入賞口を有するスタートチャッカー（始動入賞装置）である。
３０ｅは、大入賞口を有するアタッカーである。
以下の説明で、３０ｂ乃至３０ｅをまとめて入賞口３０などと記すことがある。
３１は、ＬＥＤなどの発光素子からなる電飾装置である。電飾装置３１はそれ単体で盤面１１に設けられるほか、普通入賞装置３０ｃや排出口１３に併せて設けられている。なお、電飾装置３１は、後述の役物装置５６の下位概念である。
なお、図示されていないが、上記３０ｂ、３０ｃ、３０ｄ、３０ｅの内部には球通過検出器２０ｂ、２０ｃ、２０ｄ、２０ｅが設けられている（同図の括弧内の符号はそのことを意味する）。
【００２０】
スタートチャッカー３０ｄの始動入賞装置は特定入賞装置と、アタッカー３０ｅの大入賞装置は特別入賞装置とも呼ばれる。
スタートチャッカー（始動入賞装置）３０ｄは、入賞口の開口範囲の拡縮を行わせる可動片をその両側に備え、遊技球を入賞させることにより可変表示を行わせると共に賞球を遊技者に獲得させる入賞装置である。スルーチャッカー３０ｂを遊技球が通過したことを契機に抽選がなされ、それが当たりとなったときに入賞を容易にするために、スタートチャッカー３０ｄの可動片が開放され、その入賞口が拡大される。
アタッカー（大入賞装置）３０ｅは、入賞口を露出させる開口状態と入賞口を閉鎖する閉口状態となる可動扉が駆動制御されるものであり、遊技球を入賞させることにより他の入賞装置と比較してより多くの賞球を獲得させる入賞装置である。スタートチャッカー３０ｄに遊技球が入ったことを契機に抽選がなされ、それが当たりとなったときに入賞を著しく容易にするために、アタッカー３０ｅの可動扉が開口状態になる。
可変表示装置３０ａ、スタートチャッカー３０ｄ及びアタッカー３０ｅは、盤面１１において可動する可動役物である。可動役物は、後述の役物装置５６の下位概念である。なお、可動役物には、前後左右に動いたり回転したりするフィギュア等の可動式の演出役物も含む。
以下の説明において、電飾装置３１と可動役物３０ａ，３０ｄ，３０ｅを併せて、役物装置５６と記すことにする。電飾装置３１と可動役物３０ａ等を区別する必要があるときは、その旨記載する。
【００２１】
図４は本発明の実施の形態に係る遊技機の機能ブロック図である。同図において、副制御部の表示は省略している。
４０は、電気的な遊技制御の処理を行い主要な処理情報を生成する制御部である。制御部４０は遊技領域を移動（流下）して入賞口３０ｂ〜３０ｅを通過した遊技球をそれぞれ検出する球通過検出器２０ｂ〜２０ｅの信号を入力とし、入賞口３０ｂ〜３０ｅの遊技球通過に応じた抽選・判定を行う入賞判定部４０ａを含む。入賞判定部４０ａは、予め定められた手順により抽選用乱数を発生させており、発生された乱数（具体的には、遊技球の通過タイミングなどの所定のタイミングで抽出された乱数）に基づき当選したかどうかの判定を行っている。
【００２２】
５６は、電飾装置３１と可動役物３０ａ，３０ｄ，３０ｅを含む役物装置である。役物装置には発光素子（ＬＥＤなど）を含むのと、可動部（ソレノイドなど）を含むものがある。
５５は、役物装置５６に発光動作及び／又は可変動作を行わせる役物装置制御部である。発光動作とは、役物装置５６に内蔵されている発光素子（ＬＥＤなど）を点滅させることであり、可変動作とは、可動装置（ソレノイドなど）を動かすこと（いわゆる電動チューリップの一対の可動片を動かして入賞口を開放すること、アタッカー３０ｅの開放扉を開放すること、など）である。すなわち、役物装置制御部５５は、制御部４０からの制御信号に基づき、可変表示装置（センター役物）３０ａの演出用表示ランプを点灯させたり、ＬＣＤ（液晶表示装置）に演出に係る画像を表示させるとともに、スタートチャッカー３０ｄの可動片を開放したり、アタッカー３０ｅの可動扉を開口状態にする。
【００２３】
言い換えれば、役物装置制御部５６は、制御部４０に設けられた入賞判定部４０ａにおける所定条件の成立（例えば、始動入賞装置３０ｄヘの遊技球の入賞等）に基づく電子的な当否抽選の結果に応じて、その識別表示情報（可変表示装置（センター役物）３０ａのＬＣＤに演出表示される）を可変表示させた後に停止表示を行う表示制御装置でもある。さらに、役物装置制御部５６は、入賞判定部４０ａにおける所定条件の成立（例えば、予め定められた通過口ヘの遊技球の通過）に基づく電子的な当否抽選の結果に応じて、識別点灯情報（可変表示装置（センター役物）３０ａの演出用表示ランプに点灯表示される）を可変表示させた後に停止表示を行う表示制御装置でもある。
【００２４】
可変表示装置（センター役物）３０ａのＬＣＤ（図示せず）は、大当り状態に係わる特定図柄を変動表示すると共に背景画像や各種のキャラクタなどをアニメーション的に表示する装置である。スタートチャッカー（始動入賞装置）３０ｄを遊技球が通過したことが検出されると、表示される図柄が所定時間だけ変動し、遊技球のスタートチャッカー（始動入賞装置）３０ｄの通過時点において抽選された抽選用乱数値により決定される停止図柄をＬＣＤに表示して停止するようになっている。アタッカー３０ｅは、前方に開放可能な開閉板を備える。ＬＣＤの変動停止後の図柄が「７７７」などの当り図柄のとき、「大当り」と称する特別遊技が開始され、アタッカー３０ｅの開閉板が予め定めた回数だけ開放されるようになっている。アタッカー３０ｅの開閉板が開放された後、所定時間が経過し、又は所定数の遊技球が入賞すると開閉板が閉じる。
【００２５】
４２は、入賞判定部４０ａの信号を受けて入賞口３０ｂ〜３０ｅの遊技球通過に応じた及び／又はこれによる抽選・判定の結果に応じた遊技球払出装置４３を制御する払出制御部である。
４３は、入賞条件の達成により遊技利益として入賞口３０ｂ〜３０ｅの遊技球通過に応じた及び／又はこれによる抽選・判定の結果に応じた所定数の遊技球を払出す駆動源を備えた遊技球払出装置である。
４６は、遊技盤１０あるいは遊技機筐体に設けられたスピーカ５２ｂを通じて効果音・音声を発生させる音響制御部である。
【００２６】
遊技球が遊技領域に設けられた入賞装置３０ｂ〜３０ｅには、それぞれ内部に球通過検出器（例えばスイッチ）２０ｂ〜２０ｅが設けられ、遊技球の通過を検出できるようになっている。いずれかの入賞装置３０ｂ〜３０ｅの位置を通過すると、これを球通過検出器２０ｂ〜２０ｅが検出し、これを受けて入賞判定部４０ａが所定の抽選・判定処理を行う。例えば、球通過検出器２０ｂがスルーチャッカー（入賞チャッカー）３０ｂを通過した遊技球を検知したとき、所定の抽選を行い、当選したときはスタートチャッカー（始動入賞装置）３０ｄを所定時間開放する。すなわち、スタートチャッカー（始動入賞装置）３０ｄの左右両側に互いに対向して設けられた一対の可動片を、それぞれ外側へ開放させる。併せて当選の旨を可変表示装置（センター役物）３０ａに表示する。そして、遊技球がスタートチャッカー（始動入賞装置）３０ｄを通過したことを検知したとき、所定の抽選を行い、当選したときはアタッカー３０ｅの大入賞装置を開放する。
【００２７】
制御部４０は、ＣＰＵ、読み出し専用メモリ（ＲＯＭ）、読み出し及び書き込みメモリ（ＲＷＭ）及び入出力ユニット（Ｉ／Ｏ）を含む。当該ＣＰＵは、ＲＯＭに予め記憶されているプログラムに従って所定の処理を行う。実際には、入賞判定部４０ａは、ＣＰＵがプログラムを実行することにより実現されている。
【００２８】
図５は、発明の実施の形態に係る遊技機を裏面から見た図（背面図）である。同図において、ＰＳは電源部である。図５は、制御部４０、副制御部４０ｂと電源部ＰＳをひとつのケースＣで覆った例を示す。なお、図２ではケースＣの表示は省略していた。
【００２９】
図６は、図５のＡ−Ａ矢視断面図である。図７は、図５のＢ−Ｂ矢視断面図である。図６は電源系統の接続を示し、図７は信号系統の接続を示す。これらの図において、Ｈはヒンジであって、ケースＣはヒンジＨを中心に回転することで、制御部４０、副制御部４０ｂと電源部ＰＳを露出され、それらの交換やチェック等のメンテナンスを行うことができるようになっている。なお、ヒンジＨはケースＣの開閉を容易に行うためのものであって、必須ではない。例えば、ヒンジＨに代えて、ケースＣの端に突起を設けてこれで筐体に引っ掛けるようにしてもよい。あるいはネジ止めでもよい。
【００３０】
図５〜図６から理解できるように、発明の実施の形態に係る遊技機は、本体部材（筐体）５１と、遊技に関する処理を実行する制御部４０と、演出に関する処理を実行する副制御部４０ｂと、制御部４０及び副制御部４０ｂに電源を供給する電源部ＰＳとを備え、制御部４０、副制御部４０ｂ及び電源部ＰＳは本体部材５１の裏面に設けられ、さらに、制御部４０、副制御部４０ｂ及び電源部ＰＳを覆う開閉可能なケースＣとを備えるものである。
【００３１】
ケースＣの内側には複数の第１送電部１０１ａ及び１０１ｂと、第１受電部１０１ｃが設けられ、第１送電部１０１ａ及び１０１ｂと、第１受電部１０１ｃは、それぞれ、ケースＣの内側に設けられた配線Ｗ−Ｐで接続されている。
【００３２】
電源部には第２送電部１０２ｃが設けられ、制御部４０及び副制御部４０ｂには、それぞれ、第２受電部１０２ａ及び１０２ｂが設けられている。
【００３３】
ケースＣを閉じた状態において、第２送電部１０２ｃと第１受電部１０１ｃは互いに対向し、複数の第１送電部１０１ａ及び１０１ｂと制御部４０及び副制御部４０ｂにそれぞれ設けられた第２受電部１０２ａ及び１０２ｂは、それぞれ、互いに対向する。図６の例では、第２送電部１０２ｃと第１受電部１０１ｃなどの距離はゼロであって、両者は密着している。
【００３４】
これにより、図６のようにケースＣを閉じた状態において、電源部ＰＳから制御部４０及び副制御部４０ｂへの電源が、ケースＣの内側において、第２送電部１０２ｃ、第１受電部１０１ｃ、配線Ｗ−Ｐ、複数の第１送電部１０１ａと１０１ｂ、及び、制御部４０と副制御部４０ｂにそれぞれ設けられた第２受電部１０２ａと１０２ｂを経由して供給されている。
【００３５】
図８に示すように、ケースＣを開くと、第２送電部１０２ｃと第１受電部１０１ｃ、複数の第１送電部１０１ａ及び１０１ｂと制御部４０及び副制御部４０ｂにそれぞれ設けられた第２受電部１０２ａ及び１０２ｂは、いずれも離隔し、対向しなくなる。したがって、それらの接続は切断され、電源ＰＳから制御部４０及び副制御部４０ｂへの電源供給は断たれる。この点は、以下に述べる信号の伝送についても同じである。
【００３６】
上記送電部及び受電部は、具体的には次のようなものである。
【００３７】
・コイルとコイル（鉄心を含んでもよい）である。コイルとコイルを、それらを貫く磁束の方向が一致するように配列されたものであり、電磁誘導の法則により、一方から他方へ電気エネルギーを伝送するものである。
【００３８】
・金属端子と金属端子である。例えばコネクタのようなものである。金属同士の接触により電流を流すものである。
【００３９】
さらに、図５及び図７から理解できるように、発明の実施の形態に係る遊技機は、ケースＣの内側に設けられた第１送信部１１１Ｔａ、１１１Ｔｂ及び第１受信部１１１Ｒａ、１１１Ｒｂと、ケースＣの内側に設けられて第１送信部１１１Ｔａ、１１１Ｔｂと第１受信部１１１Ｒａ、１１１Ｒｂを接続する配線Ｗ１−Ｓ、Ｗ２−Ｓと、制御部４０に設けられた第２送信部１１２Ｔａ及び第２受信部１１２Ｒａと、副制御部４０ｂに設けられた第２受信部１１２Ｒｂ及び第２送信部１１２Ｔｂと、を備える。
【００４０】
ケースＣを閉じた状態で第２送信部１１２Ｔａ、１１２Ｔｂと第１受信部１１１Ｒａ、１１１Ｒｂが、それぞれ互いに通信可能に対向するとともに、第１送信部１１１Ｔａ、１１１Ｔｂと第２受信部１１２Ｒａ、１１２Ｒｂが、それぞれ互いに通信可能に対向する。
【００４１】
これにより、図７のようにケースＣを閉じた状態において、制御部４０から副制御部４０ｂへの信号が、ケースＣの内側において、第２送信部１１２Ｔａ、第１受信部１１１Ｒａ、配線Ｗ１−Ｓ、第１送信部１１１Ｔｂ、及び、第２受信部１１２Ｒｂを経由して伝送されるとともに、副制御部４０ｂから制御部４０への信号が、ケースＣの内側において、第２送信部１１２Ｔｂ、第１受信部１１１Ｒｂ、配線Ｗ２−Ｓ、第１送信部１１１Ｔａ、及び、第２受信部１１２Ｒａを経由して伝送される。
【００４２】
図８に示すように、ケースＣを開くと、信号の伝送が断たれる点は、前述のとおりである。
【００４３】
なお、図５及び図７は、制御部４０と副制御部４０ｂの間で双方向の信号伝送を行う構成を示すものであり、一方から他方への信号伝送を行うだけであれば、送信部と受信部は半分ですむ。例えば、制御部４０から副制御部４０ｂへ信号を伝送するが、逆方向の信号伝送はない場合は、第２送信部１１２Ｔｂ、第１受信部１１１Ｒｂ、第１送信部１１１Ｔａ及び第２受信部１１２Ｒａは、不要である。
【００４４】
上記送信部及び受信部は、具体的には次のようなものである。
【００４５】
・上記送信部は、発光ダイオード、半導体レーザなどを含む電気信号−光信号変換器であり、上記受信部は、フォトダイオード、フォトトランジスタなどを含む光信号−電気信号変換器である。非接触による信号伝送が可能である。上述した、ケースＣを閉じた状態で送信部と受信部が通信可能に対向するとは、送信部と受信部が、発光ダイオードなどからの出射光がフォトトランジスタなどの受光部に入射するような位置関係になる、という意味である。
【００４６】
・上記送信部は送信機と送信アンテナであり、上記受信部は受信アンテナと受信機である。送信機は電気信号を入力とし、高周波に変調した信号を前記送信アンテナから放射する。受信機は、前記受信アンテナで受信した高周波信号を復調し元の電気信号として出力する。ここで、ケースＣを閉じた状態で送信部と受信部が通信可能に対向するとは、送信アンテナから放射される電波を受信アンテナで受信できるような位置関係になる、という意味である。
【００４７】
・コイルとコイル（鉄心を含んでもよい）である。コイルとコイルを、それらを貫く磁束の方向が一致するように配列されたものであり、電磁誘導の法則により、一方から他方へ電気信号を伝送するものである。
【００４８】
・金属端子と金属端子である。例えばコネクタのようなものである。金属同士の接触により電流を流すものである。
【００４９】
本発明の実施の形態によれば、図８のようにケースを開くだけで電源及び信号の接続いずれもが切断され、ワイヤハーネスを外す手間を省くことができる。逆に、ケースを閉じるだけでそれらの接続が完成し、遊技機が正常に動作するようになる。このように、ケースを開閉する行為のみで基板間の接続及びその切断が可能になるため、作業性が向上する。従来は、ハーネスを一本一本手で外していたが、そのような作業が不要になる。
【００５０】
上述の第１送信部と第２受信部を接続する配線は、通常は金属導体からなるものであるが、これに代えて光信号を直接伝送する光ファイバを用いることができる。この場合、ケースの内側に第１送信部と第２受信部を設ける必要はなくなる。
【００５１】
光ファイバを用いた例を図９に示す。
図９の第２送信部１１２Ｔａ、１１２Ｔｂは発光ダイオードなどの発光素子を含むものであり、電気信号を光信号に変換して伝送する。第２受信部１１２Ｒａ、１１２Ｒｂはフォトトランジスタなどの受光素子を含むものであり、光信号を電気信号に変換する。
【００５２】
ＯＰＴ−１及びＯＰＴ−２は光ファイバであり、これらは図７の配線Ｗ１−Ｓ及びＷ２−Ｓに相当する。
【００５３】
図６及び図７と同様に、ケースＣを閉じた状態で、光ファイバＯＰＴ−１及びＯＰＴ−２の両端の端面は、それぞれ、第２送信部１１２Ｔａ、１１２Ｔｂと第２受信部１１２Ｒａ、１１２Ｒｂに対向している。
【００５４】
図９では、第２送信部１１２Ｔａ、１１２Ｔｂから出射された光がそのまま光ファイバＯＰＴ−１及びＯＰＴ−２に入り、そこを伝播して他方の端から出射され、第２受信部１１２Ｒａ、１１２Ｒｂに入射する。
【００５５】
図９の光ファイバＯＰＴ−１及びＯＰＴ−２の両端の端面は、それぞれ、前述の第１受信部１１１Ｒａ，１１１Ｒｂ及び第１送信１１１Ｔａ，１１１Ｔｂとして機能すると言える。
【００５６】
図７の第１受信部１１１Ｒａ，１１１Ｒｂ及び第１送信１１１Ｔａ，１１１Ｔｂは能動素子であり、通常はその動作のための電源を必要とするが、図９の光ファイバＯＰＴ−１及びＯＰＴ−２は受動素子であり電源は不要である。また、光ファイバは小型軽量でケースＣの裏側に設置することが容易であり、頑丈で信頼性も高い。
【００５７】
図９の形態も、図７のものと同様の作用効果を奏する。
【００５８】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００５９】
【図１】遊技機の表面構造を示す斜視図である。
【図２】遊技機の裏面構造を示す斜視図である。
【図３】遊技者から見た盤面体の様子を示す図（正面図）である。
【図４】遊技機の機能ブロック図である。
【図５】発明の実施の形態に係る遊技機を裏面から見た図（背面図）である。
【図６】図５のＡ−Ａ矢視断面図である。
【図７】図５のＢ−Ｂ矢視断面図である。
【図８】ケースを開いた状態を示す断面図である。
【図９】発明の実施の形態に係る他の遊技機を示す断面図である。
【符号の説明】
【００６０】
４０    制御部
４０ｂ  副制御部
４２    払出制御部
５１    本体部材
１０１ａ、１０１ｂ  第１送電部
１０１ｃ  第１受電部
１０２ａ、１０２ｂ  第２受電部
１０２ｃ  第２送電部
１１１Ｔａ  第１送信部
１１１Ｒｂ  第１受信部
１１２Ｔｂ  第２送信部
１１２Ｒａ  第２受信部
Ｃ        ケース
Ｈ        ヒンジ
ＰＳ      電源部
Ｗ−Ｐ      電源用配線
Ｗ１−Ｓ    配線
Ｗ２−Ｓ    配線
【図１】
2010099155.tif 000003
【図２】
2010099155.tif 000004
【図３】
2010099155.tif 000005
【図４】
2010099155.tif 000006
【図５】
2010099155.tif 000007
【図６】
2010099155.tif 000008
【図７】
2010099155.tif 000009
【図８】
2010099155.tif 000010
【図９】
2010099155.tif 000011